(57)【特許請求の範囲】
【請求項１】
スイッチング素子を有する第１乃至第５ドット要素を備える第１ピクセルと、
スイッチング素子を有する第６乃至第１０ドット要素を備える第２ピクセル、データ・ドライバ及びゲート・ドライバと、
それぞれのスイッチング素子を介して前記データ・ドライバに連結され、前記第１ピクセルに連結された第１ないし第３データラインを具備する第１データライングループと、
それぞれのスイッチング素子を介して前記データ・ドライバに連結され、前記第２ピクセルに連結された第４ないし第６データラインを具備する第２データライングループと、
前記データ・ドライバに連結された第１ないし第３出力端子を具備する第１出力端子グループと、
前記データ・ドライバに連結された第４ないし第６出力端子を具備する第２出力端子グループと、
それぞれのスイッチング素子を介して前記ゲート・ドライバに連結された複数のゲートラインとを具備して；
第１色の前記第１及び第２ドット要素は前記第１データラインに連結されて、第２色の前記第３ドット要素は前記第２データラインに連結されて、第３色の前記第４及び第５ドット要素は前記第３データラインに連結されて、前記第１色の前記第６及び第７ドット要素は前記第４データ・ラインに連結されて、前記第２色の前記８ドット要素は前記第５データラインに連結されて、前記第３色の第９及び第１０ドット要素は前記第６データ・ラインに連結されて、前記第１ピクセルの第３ドット要素は前記第２ピクセルの第８ドット要素と連結されり、
前記第１出力端子は、前記第１及び第２ドット要素に連結された前記第１データラインに連結されて、
前記第２出力端子は前記のいずれのデータラインとも連結されず、
前記第３出力端子は、前記第４及び第５ドット要素に連結された前記第３データラインに連結されて、
前記第４出力端子は、前記第６及び第７ドット要素に連結された前記第４データラインに連結されて、
前記第５出力端子は、前記第３ドット要素に連結された前記第２データラインと、前記第８ドット要素に連結された前記第５データラインとに連結されて、
前記第６出力端子は、前記第９及び第１０ドット要素に連結された前記第６データラインに連結され、
前記第１色は、赤、青、及び緑のうち何れか一色であり、前記第２色は、赤、青、及び緑から前記第１色を除いた二色のうち何れか一色であり、前記第３色は、赤、青、及び緑から前記第１色及び前記第２色を除いた一色であることを特徴とする液晶表示装置。
【請求項２】
前記第１ピクセル及び前記第２ピクセルは、前記ゲートラインの方向に１個ずつまたは２個ずつ交代で配置されて、
前記第１データライングループ及び第２データライングループは、前記ゲートラインの方向に１グループずつまたは２グループずつ交代で配置されて、
前記第１出力端子グループ及び前記第２出力端子グループは、前記ゲートラインの方向に１グループずつまたは２グループずつ交代で配置されることを特徴とする請求項１に記載の液晶表示装置。
【発明の詳細な説明】
【技術分野】
【０００１】  本発明は液晶パネルに係り、特に一つのピクセル内に５個のカラー・ドットを有する液晶パネルを駆動すると共にフリッカ雑音（flicker noise）を減少させることが可能である液晶パネルを有する液晶表示装置に関する。
【背景技術】
【０００２】  液晶表示装置（Liquid Crystal Display）は通常、ビデオ信号により液晶セルの光透過率を調節して画像を表示する。液晶セル毎にスイッチング素子が形成されたアクティブ・マトリックス（Active Matrix）タイプの液晶表示装置は動映像を表示するのに適している。アクティブ・マトリックス・タイプの液晶表示装置に使用されるスイッチング素子としては薄膜トランジスタ（Thin Film Transistor；以下”ＴＦＴ”という）が利用される。【０００３】  図１は一般的な液晶表示装置のブロック構成図を示す。【０００４】  図１を参照すると、液晶表示装置の駆動装置はアナログ・ビデオ・データをデジタル・ビデオ・データに変換するためのデジタル・ビデオ・カード（１）と、液晶パネル（６）のデータライン（ＤＬ）にビデオ・データを供給するためのデータ・ドライバ（３）と、液晶パネル（６）のゲートライン（ＧＬ）を逐次的に駆動するためのゲート・ドライバ（５）と、データ・ドライバ（３）とゲート・ドライバ（５）を制御するためのタイミング・コントローラ（２）とを具備する。【０００５】  液晶パネル（６）は二枚のガラス基板の間に液晶が注入されて、その下部のガラス基板の上にゲートライン（ＧＬ）とデータライン（ＤＬ）が相互に直交して形成される。ゲートライン（ＧＬ）とデータライン（ＤＬ）との交差部にはデータライン（ＤＬ）から入力される映像を液晶セル（Ｃｌｃ）に選択的に供給するためのＴＦＴが形成される。このため、ゲートライン（ＧＬ）にはＴＦＴのゲート端子が接続されて、データライン（ＤＬ）にはＴＦＴのソース端子が接続される。そしてＴＦＴドレイン端子は液晶セル（Ｃｌｃ）のピクセル電極に接続される。【０００６】  デジタル・ビデオ・カード（１）はアナログ入力映像信号を液晶パネル（６）に適合するデジタル映像信号に変換して映像信号に含まれた同期信号を検出する。【０００７】  タイミング・コントローラ（２）はデジタル・ビデオ・カード（１）からの赤色（Ｒ）、緑色（Ｇ）及び青色（Ｂ）のデジタル・ビデオ・データをデータ・ドライバ（３）に供給する。また、タイミング・コントローラ（２）はデジタル・ビデオ・カード（１）から入力される水平/垂直同期信号（Ｈ、Ｖ）を利用してドットクロック（Ｄｃｌｋ）及びゲート・スタート・パルス（Ｇｓｐ）などのデータとゲートの制御信号とを生成することにより、データ・ドライバ（３）とゲート・ドライバ（５）をタイミング制御する。ドットクロック（Ｄｃｌｋ）などのデータの制御信号はデータ・ドライバ（３）に供給され、一方、ゲート・スタート・パルス（Ｇｓｐ）などのゲート制御信号はゲート・ドライバ（５）に供給される。【０００８】  ゲート・ドライバ（５）はタイミング・コントローラ（２）から入力されるゲート・スタート・パルス（Ｇｓｐ）に応答して逐次的にスキャンパルスを発生するシフト・レジスタ（図示しない）と、スキャンパルスの電圧を液晶セル（Ｃｌｃ）の駆動に適合するレベルにシフトさせるためのレベル・シフト（図示しない）などによって構成される。このゲート・ドライバ（５）から入力されるスキャンパルスに応答してＴＦＴによりデータライン（ＤＬ）上のビデオ・データが液晶セル（Ｃｌｃ）のピクセル電極に供給され��。【０００９】  データ・ドライバ（３）にはタイミング・コントローラ（２）からの赤色（Ｒ）、緑色（Ｇ）及び青色（Ｂ）のデジタル・ビデオ・データと共にドットクロック（Ｄｃｌｋ）が入力される。このデータ・ドライバ（３）はドットクロック（Ｄｃｌｋ）に同期して赤色（Ｒ）、緑色（Ｇ）及び青色（Ｂ）のデジタル・ビデオ・データをラッチした後に、ラッチされたデータをガンマ電圧（Ｖγ）により補正する。そしてデータ・ドライバ（３）はガンマ電圧（Ｖγ）により補正されたデータをアナログ・データに変換して１ライン分ずつデータライン（ＤＬ）に供給する。【００１０】  図２は図１の液晶表示装置のピクセルとＴＦＴ構造の関係を詳細に表す図面である。【００１１】  図２を参照すると、液晶表示装置のピクセルは４個のデータライン（ＤＬ１乃至ＤＬ４）と２個のゲートライン（ＧＬ１、ＧＬ２）により区画された領域に構成されている。そして、ゲートライン（ＧＬ１、ＧＬ２）とデータライン（ＤＬ１、ＤＬ２）により囲まれた領域に１個のピクセル電極（１２ａ）が設置されてこの領域が１個のピクセルになり、同様にして、ゲートライン（ＧＬ１、ＧＬ２）とデータライン（ＤＬ２、ＤＬ３）とにより囲まれた領域に１個のピクセル電極（１２ｂ）が設置されてこの領域が１個のピクセルになり、ゲートライン（ＧＬ１、ＧＬ２）とデータライン（ＤＬ３、ＤＬ４）とにより囲まれた領域に１個のピクセル電極（１２ｃ）が設置されてこの領域が１個のピクセルになる。これらの３個のピクセルにより１個のピクセル（１６）が構成されると共に各ピクセル電極（１２）の側部側にそれぞれスイッチ素子としてＴＦＴ（１４）が構成される。【００１２】  また、ピクセル電極が構成された透明基板に対向する異なる基板にはカラーフィルター（Ｒ、Ｇ、Ｂ）が設置されるが、この形態では図２に示されている１個のピクセルの中の左段のピクセル電極（１２ａ）に対向する位置に図３に示されているようにＲのカラーフィルターが、中段のピクセル電極（１２ｂ）に対向する位置にＧのカラーフィルターが、右段のピクセル電極（１２ｃ）に対向する位置にＢのカラーフィルターがそれぞれ配置される。【００１３】  この形態でＶＧＡ仕様の表示を行うためにデータライン（ＤＬ）は６４０個、ゲートライン（ＧＬ）が４８０個設置されているので、ピクセルは１画面上に３０７２００個形成されている。【００１４】  図３は図１に図示された従来の液晶表示装置によるＲＧＢカラーフィルターの配列状態をゲート・ドライバ（５）及びデータ・ドライバ（３）の接続状態により表す図面である。【００１５】  図３を参照すると、液晶表示装置は６バス方式の入力信号（Ｒｅ、Ｇｅ、Ｂｅ、Ｒｏ、Ｇｏ、Ｂｏ）を入力受けてデータクロックに同期して１からｎ番目のデータライン（ＤＬ１〜ＤＬｎ）までを出力させる。【００１６】  Ｒ信号はデータ・ドライバ（３）を通して第１データライン（ＤＬ１）に出力されて、Ｇ信号はデータ・ドライバ（３）を通して第２データライン（ＤＬ２）に出力されて、Ｂ信号はデータ・ドライバ（３）を通して第３データライン（ＤＬ３）に出力される。前記の信号は３個の出力が一つのセットになって繰り返す。【００１７】  この際、データ���ドライバ（３）を通したライン配置によりR信号はデータ・ドライバ（３）を通して第１データライン（ＤＬ１）に出力されて、Ｇ信号はデータ・ドライバ（３）を通して第２データライン（ＤＬ２）に出力されて、Ｂ信号はデータ・ドライバ（３）を通して第３データライン（ＤＬ３）に出力される。【００１８】  そして、従来技術の液晶表示装置により駆動される液晶パネルは図４ａ及び図４ｂに示されているようにドット反転（dot-inversion）方式を採用している。ドット反転方式の液晶パネルの駆動方法では図４ａ及び図４ｂで示されているように液晶パネル上のコラムライン（columnline）及びローライン（rowline）別に隣接した液晶セルに交互に相反した極性のデータ信号を供給すると共にフレーム毎に液晶パネル上のすべての液晶セルに供給されるデータ信号の極性を反転させる。換言すれば、ドット反転方式ではフレーム毎のビデオ信号が表示される場合に図４ａに示されているようにローラインの左側の液晶セルから右側の液晶セルに移行するにつれてそして、コラムラインの上から下の液晶セルに移行するにつれて正極性（＋）及び負極性（−）が交替に表れるようにデータ信号を液晶パネル上の液晶セルにそれぞれ供給する。そして、次のフレームのビデオ信号が表示される場合には図４ｂで示されているように各液晶セルに供給されるデータ信号の極性は、直前のフレームの極性に対して反転される。【００１９】  しかし従来のストライプ（Stripe）方式のピクセルを有する液晶パネルの駆動方法は画質を向上させるのに限界があり、ドット反転方式に従った液晶パネルの駆動の際にフリッカ雑音（flicker noise）が現れる問題点がある。
【発明の開示】
【発明が解決しようとする課題】
【００２０】  従って、本発明の目的は一つのピクセル中に５個のカラー・ドットを有する構造の液晶パネルを備えた液晶表示装置を提供することにある。
【課題を解決するための手段】
【００２１】  前記目的を達成するために、本発明の液晶表示装置は、スイッチング素子を有する第１乃至第５ドット要素を備えるピクセルと、データ・ドライバ及びゲート・ドライバと、それぞれのスイッチング素子を介して前記データ・ドライバに連結された複数のデータラインと、それぞれのスイッチング素子を介して前記ゲート・ドライバに連結された複数のゲートラインとを具備して、前記第１及び第２ドット要素は第１データラインに連結されて、前記第３ドット要素は第２データラインに連結されて、前記第４及び第５ドット要素は第３データラインに連結されて、前記第３ドット要素のスイッチング素子は５個のドット要素を有する隣接したピクセル内の第３ドット要素のスイッチング素子と連結されることを特徴とする。【００２２】 本発明の液晶表示装置は、スイッチング素子を有する第１乃至第５ドット要素を備えるピクセルと、スイッチング素子を有する第６乃至第１０ドット要素を備える第２ピクセル、データ・ドライバ及びゲート・ドライバと、それぞれのスイッチング素子を介して前記データ・ドライバに連結された複数のデータラインと、それぞれのスイッチング素子を介して前記ゲート・ドライバに連結された複数のゲートラインとを具備して；前記第１及び第２ドット要素は第１データラインに連結されて、前記第３ドット要素は第２データラインに連結されて、前記第４及び第５ドット要素は第３データラインに連結されて、前記第６及び第７ドット要素は第４データ・ラインに連結されて、前記８ドット要素は第５データラインに連結されて、第９及び第１０ドット要素は第６データ・ラインに連結されて、前記第１ピクセルの第３ドット要素は前記第２ピクセルの第８ドット要素と連結されることを特徴とする。【００２３】 本発明の液晶表示装置は、前記データ・ドライバの第１出力ラインは前記第１及び第２ドット要素に連結されて、前記データ・ドライバの第２出力ラインは前記のいずれのドット要素とも連結されず、前記データ・ドライバの第３出力ラインは前記第４及び第５ドット要素に連結されて、前記データ・ドライバの第４出力ラインは前記第６及び第７ドット要素に連結されて、前記データ・ドライバの第５出力ラインは前記第８ドット要素に連結されて、前記データ・ドライバの第６出力ラインは前記第９及び第１０ドット要素に連結されることを特徴とする。【００２４】 本発明の液晶表示装置は、５個のドット要素を有するそれぞれのピクセルアレイと、各々が３個のデータラインのグループに接続されたピクセルに連結された複数のデータラインとを具備して、前記３個のデータラインのグループの中の一つのグループに属する３個のデータラインは異なる３個のデータラインのグループ内のデータラインと連結されることを特徴とする。【００２５】  本発明による液晶パネルの駆動方法は液晶パネルの駆動する方法に関し、ピクセルの中央部に配置された複数の第１色のドット要素の中に所定の間隔だけに離隔して配置されると共に隣接した前記第１色のドット要素を短絡（shorted）させ前記隣接した第１色のドット要素に第１色のデータを印加する段階と、前記一つのピクセル内で前記中央部の一方の端部に配置された複数の第２色のドット要素に第２���のデータを印加する段階と、前記一つのピクセル内で前記中央部の他方の端部に配置された複数の第３色のドット要素に第３色のデータを印加する段階を含むことを特徴とする。【００２６】  この時、第２色のデータを印加する段階は前記一つのピクセル内に第１色のサブフィールドを中心に対角線方向に対向して配置された第２色のドット要素にデータを印加する段階を含むことを特徴とする。【００２７】  また第３色のデータを印加する段階は前記一つのピクセル内に第１色のサブフィールドを中心に対角線方向に対向して配置された第３色のドット要素にデータを印加する段階を含むことを特徴とする。【００２８】  本発明による液晶パネルの駆動装置は多数のドット要素を含むピクセルをマトリックス形態に配列した液晶パネルを駆動する装置において、前記ドット要素に選択的に赤、緑、青色のデータを入力する信号選択手段と、外部から入力される水平同期信号及びドットクロックを利用して前記信号選択手段を制御する制御信号を生成する制御信号生成手段と、前記信号選択手段により出力されたデータを前記ドット要素に印加して画像を表示する液晶パネルとを具備することを特徴とする。【００２９】  本発明での信号選択手段は液晶パネルの駆動の際に前記制御信号により赤色のデータ及び緑色のデータを交互に供給する第１信号選択手段と、青色のデータを所定の一定の間隔毎に供給する第２信号選択手段とを具備することを特徴とする。【００３０】  本発明での制御信号生成手段は前記ドットクロックを利用して前記緑色のデータを所定の周期で供給する制御信号を印加する第１制御信号の生成手段と、前記水平同期信号を利用して前記信号選択手段と第１制御信号の生成手段とに制御信号を印加する第２制御信号生成手段とを具備することを特徴とする。【００３１】［作用］  本発明による液晶表示装置は、一つのピクセルの内に５個のカラー・ドットを有する液晶パネルを駆動するためにデータ・ドライバの出力端子とデータラインとの間の連結関係を従来とは異なったものとして、例えば、従来のデータ・ドライバの出力端子の一部を断線する等、データ・ドライバの出力端子の個数を従来のデータ・ドライバとは異なるようにした新しい出力端子構造のデータ・ドライバを使用する。このような新しい出力端子構造のデータ・ドライバを使用することでドット反転方式の液晶パネルを駆動させ、フリッカ雑音を低減することが可能となる。
【発明の効果】
【００３２】  本発明による液晶表示装置の駆動方法及び装置は一つのピクセルの内に５個のカラー・ドットを有する液晶パネルを駆動するためにデータ・ドライバの出力端子とデータラインとの間の連結関係を従来とは異なったものとして、データ・ドライバの出力端子の数を従来のデータ・ドライバとは異なるようにした新しい出力端子構造のデータ・ドライバを使用することでドット反転方式の液晶パネルを駆動することにより、フリッカ雑音を減少させることが可能である。
【発明を実施するための最良の形態】
【００３３】  以下、図５乃至図１３を参照して本発明の好ましい実施例に対して説明する。【００３４】  図５は一般的な液晶表示装置のブロック構成図である。【００３５】  図５を参照すると、液晶表示装置の駆動装置はアナログ・ビデオ・データをデジタル・ビデオ・データに変換するためのデジタル・ビデオ・カード（２１）と、液晶パネル（２６）のデータライン（ＤＬ）にビデオ・データを供給するためのデータ・ドライバ（２３）と、液晶パネル（２６）のゲートライン（ＧＬ）を逐次的に駆動するためのゲート・ドライバ（２５）と、データ・ドライバ（２３）とゲート・ドライバ（２５）とを制御するためのタイミング・コントローラ（２２）とを具備する。【００３６】  液晶パネル（２６）の二枚のガラス基板の間には液晶が注入されて、その下部のガラス基板の上にゲートライン（ＧＬ）とデータライン（ＤＬ）が相互に直交して形成される。ゲートライン（ＧＬ）とデータライン（ＤＬ）との交差部にはデータライン（ＤＬ）から入力される映像を液晶セル（Ｃｌｃ）に選択的に供給するためのＴＦＴが形成される。ゲートライン（ＧＬ）にはＴＦＴのゲート端子が接続されて、データライン（ＤＬ）にはＴＥＴのソース端子が接続される。そしてＴＦＴドレイン端子は液晶セル（Ｃｌｃ）のピクセル電極に接続される。【００３７】  デジタル・ビデオ・カード（２１）はアナログ入力映像信号を液晶パネル（２６）に適合するデジタル映像信号に変換して映像信号に含まれた同期信号を検出する。【００３８】  タイミング・コントローラ（２２）はデジタル・ビデオ・カード（２１）からの赤色（Ｒ）、緑色（Ｇ）及び青色（Ｂ）のデジタル・ビデオ・データをデータ・ドライバ（２３）に供給する。また、タイミング・コントローラ（２２）はデジタル・ビデオ・カード（１）から入力される水平/垂直同期信号（Ｈ、Ｖ）を利用してドットクロック（Ｄｃｌｋ）等のデータとゲート・スタート・パルス（Ｇｓｐ）などのゲートの制御信号とを生成してデータ・ドライバ（２３）とゲート・ドライバ（２５）をタイミング制御する。ドットクロック（Ｄｃｌｋ）などのデータの制御信号はデータ・ドライバ（２３）に供給されて、ゲート・スタート・パルス（Ｇｓｐ）などのゲート制御信号はゲート・ドライバ（２５）に供給される。【００３９】  ゲート・ドライバ（２５）はタイミング・コントローラ（２２）から入力されるゲート・スタート・パルス（Ｇｓｐ）に応答して逐次的にスキャンパルスを発生するシフト・レジスタと、スキャンパルスの電圧を液晶セルの駆動に適合するレベルにシフトさせるためのレベル・シフトなどによって構成される。このゲート・ドライバ（２５）から入力されるスキャンパルスに応答してＴＦＴによりデータライン（ＤＬ）上のビデオ・データが液晶セル（Ｃｌｃ）のピクセル電極に供給される。【００４０】  データ・ドライバ（２３）には、タイミング・コントローラ（２２）からの赤色（Ｒ）、緑色（Ｇ）及び青色（Ｂ）のデジタル・ビデオ・データと共にドットクロック（Ｄｃｌｋ）が入力される。このデータ・ドライバ（２３）は、ドットクロック（Ｄｃｌｋ）に同期して赤色（Ｒ）、緑色（Ｇ）及び青色（Ｂ）のデジタル・ビデオ・データをラ���チした後に、ラッチされたデータをガンマ電圧（Ｖｒ）により補正する。そしてデータ・ドライバ（３）はガンマ電圧（Ｖｒ）により補正されたデータをアナログ・データに変換して１ライン分ずつデータライン（ＤＬ）に供給する。【００４１】  図６ａ及び図６ｂは本発明の第１及び第２実施例による液晶パネルのピクセル構造とピクセルへのデータの入力を説明する図面である。【００４２】  図６ａ及び図６ｂを参照すると、液晶パネルのピクセルは１個のピクセル内に配置された５個の異なるカラー・ドットによって構成されている。【００４３】  ピクセル（２７）は正四角形の形状を有しており、ピクセル（２７）は、正四角形のピクセル（２７）の中央部に配置された菱形形態のＢカラーフィルターを有するドット（３０）と、Ｂカラーフィルターを有するドット（３０）を中心に左上段と右下段の端部にそれぞれのＲカラーフィルターを有したドット（２８ａ、２８ｂ）と、Ｂカラーフィルターを有するドット（３０）を中心に右上段と左下段の端部にそれぞれのＧカラーフィルターを有したドット（２９ａ、２９ｂ）とを具備する。【００４４】  図６ａは４個のドットと１個のＢドット（３０）が二つのゲートラインの間に位置して下段のゲートライン（ＧＬ２）と上段のゲートライン（ＧＬ１）に二ピクセル毎に交互に連結される構造であり、図６ｂでのＢドット（３０）は二つのゲートラインの間に位置して下段のゲートライン（ＧＬ２）と上段のゲートライン（ＧＬ１）に一ピクセル毎に交互に連結される構造を示す。これで、Ｂドット（３１）は４ピクセルを基準に二つのピクセルだけに色を表示する。【００４５】  また、一ピクセル内に５個のカラー・ドットを有する液晶パネルの駆動方法は、従来の技術でのデータ・イネーブル信号がＲ、Ｇ、Ｂデータ信号に周期的に印加される方法とは異なりＲデータ・バス及びＧデータ・バスにゲートライン（ＧＬ）毎にＲデータ信号を一度入力すると次はＧデータ信号を交互に入力するという特徴を有する。【００４６】  上記の駆動のために異なる液晶パネルの駆動方法と、出力端子の数を従来のデータ・ドライバとは異なるようにした新しい出力端子構造のデータ・ドライバとを提案する。【００４７】  図７ａ及び図７ｂは図６ａに図示されたピクセル構造と液晶パネルを駆動するための配線のデータ・ドライバへの接続状態とを概略的に表す図面である。【００４８】  図７ａ及び図７ｂを参照すると、液晶表示装置は６バス方式の入力信号（Ｒｅ、Ｇｅ、Ｂｅ、Ｒｏ、Ｇｏ、Ｂｏ）を入力受けてデータクロックに同期して１乃至Ｎ番目のデータライン（ＤＬ１乃至ＤＬＮ）にデータ信号を出力する。【００４９】  本発明ではデータ・ドライバ（２３）に連結される１２個で１組の出力端子の中の２番目と５番目の出力端子をデータライン（ＤＬ）と接続せずに使用する。【００５０】  以後のデータ・ドライバ（２３）からの８番目と１１番目の出力端子は正常にデータライン（ＤＬ）と接続されてＢドットデータを出力するように駆動する。【００５１】  このような連結方法はＮ番目の出力端子にまですべて適用される。【００５２】  図８は図７に示されたピクセルにデータを出力するためのデータ・パルス発生機を詳細に表す図面である。���００５３】  図８を参照すると、データ・パルス発生機は、タイミングコントローラ（２２）を通してカラー・データ（Ｒ、Ｇ、Ｂ）を選択的に出力するように制御されるマルチプレクサ（Multiplexer：以下”ＭＵＸ”という）とタイミング・コントローラ（２２）からの制御信号が入力されて制御されるＤーフリップフロップ（３１、３２、３３）とによって構成される。【００５４】  マルチプレクサは、奇数番目のデータの駆動の際にＲデータを出力し、偶数番目のデータの駆動の際にＧデータを出力する第１マルチプレクサ（ＭＵＸ１）と；奇数番目のデータの駆動の際にＧデータを出力し、偶数番目のデータの駆動の際にＲデータを出力する第２マルチプレクサ（ＭＵＸ２）と；奇数番目のデータと偶数番目のデータの駆動の際にＢデータを選択的に出力する第３マルチプレクサ（ＭＵＸ３）と；第３マルチプレクサに接続されて第３マルチプレクサを制御する制御信号を送り出す第４マルチプレクサ（ＭＵＸ４）とを具備する。第４マルチプレクサ（ＭＵＸ４）は三状態バッファーまたは制御スイッチにおきかえることが可能である。【００５５】  Ｄーフリップフロップ（３１、３２、３３）は、入力ドットクロック（Ｄｃｌｋ）を４分周された制御パルスとして出力する第１及び第２フリップフロップ（３１、３２）の直列接続部と、タイミング・コントローラ（２２）からの水平同期信号により制御されて第１、第２及び第４マルチプレクサ（ＭＵＸ１、ＭＵＸ２、ＭＵＸ４）に制御信号を供給する第３Ｄーフリップフロップ（３３）とによって構成される。タイミングコントローラ（２２）からのドットクロック（Ｄｃｌｋ）は、第１Ｄ−フリップフロップ（３１）のクロック端子（ＣＬＫ）に入力される。【００５６】  第１Ｄーフリップフロップ（３１）の出力端子（Q、¬Ｑ）の反転出端子（¬Ｑ）からの出力信号は、第１Ｄーフリップフロップ（３１）の入力端子（D）にフィードバックされ、出力端子（Q、¬Q）の非反転出力端子（Q）からの出力信号は、第２Ｄーフリップフロップ（３２）のクロック端子（CLK）に入力される。第２Ｄーフリップフロップ（３２）の出力端子（Q、¬Q）の反転出力端子（¬Q）からの出力信号は、第２Ｄーフリップフロップ（３２）の入力端子（D）に入力される。第２Ｄーフリップフロップ（３２）の出力端子（Q、¬Q）の非反転出力端子（Q）からの出力信号は第４マルチプレクサ（MUX４）に入力される。ドットクロック（Dｃｌｋ）がタイミング・コントローラ（２２）から入力される際に、直列接続された第１及び第２Ｄーフリップフロップ（３１、３２）は４分周された制御パルスが第２Ｄーフリップフロップ（３２）の非反転出力端子（Q）から出力されるようにする。第２Ｄーフリップフロップ（３２）の非反転出力端子（Q）から出力された４分周された制御パルスはドットクロック（Dｃｌｋ）の４分の１に当たる周波数を有する。４分周された制御パルスは第４マルチプレクサ（MUX4）に入力される。タイミング・コントローラ（２２）からの水平同期信号（Hsync）は第３Ｄーフリップフロップ（３３）のクロック端子（CLK）に入力される。第３Ｄーフリップフロップ（３３）の出力端子（Q、¬Q）の反転出力端子（¬Q）からの出力信号は第３Ｄーフリップフロップ（３３���の入力端子（D）に入力される。第３Ｄーフリップフロップ（３３）の非反転出力端子（Ｑ）からの出力信号は、第１、第２及び第４マルチプレクサ（ＭＵＸ１、ＭＵＸ２、ＭＵＸ４）に入力される。タイミング・コントローラ（２２）からドットクロック（Ｄｃｌｋ）が第３Ｄーフリップフロップ（３３）に入力されると、第３Ｄーフリップフロップ（３３）は２分周された形態の制御パルスを第１、第２及び第４マルチプレクサ（ＭＵＸ１、ＭＵＸ２、ＭＵＸ４）に出力する。２分周された制御パルスは水平同期信号の２分の１に当たる周波数を有するようになる。【００５７】  更に、第１マルチプレクサ（ＭＵＸ１）は、Ｒ及びＧデータの入力を受けて、前記第３Ｄーフリップフロップ（３３）により出力された制御信号により前記カラー信号を選択して出力する。第２マルチプレクサ（ＭＵＸ２）は、Ｇ及びＲデータの入力を受けて、前記第３Ｄ−フリップフロップ（３３）により出力された制御信号により前記カラー信号を選択して出力する。第３マルチプレクサ（ＭＵＸ３）はＢデータの入力を受けて、前記第３Ｄ−フリップフロップ（３２）の制御による第４マルチプレクサ（ＭＵＸ４）の制御信号により前記Ｂデータ信号を選択的に出力する。第４マルチプレクサ（ＭＵＸ４）からの制御信号は奇数番目及び偶数番目の水平同期信号の期間のうちのいずれか一つの期間に４分周された制御信号パルスを有する。好ましくは、第４マルチプレクサ（ＭＵＸ４）からの制御信号は奇数番目の水平同期信号の期間に４分周された制御パルスを有する。【００５８】  図９ａ及び図９ｂは、図８に示されている駆動装置を通して奇数番目のカラー・データと偶数番目のカラー・データのデータラインへの出力を説明する図面である。【００５９】  図９ａ及び図９ｂを参照すると、本発明の第１実施例による液晶表示装置の駆動方法は一つのピクセル内に５個のカラー・ドットを有する液晶パネル（２６）を駆動するためのＲデータ・バス及びＧデータ・バスに走査線毎にＲデータ信号を一度入力すると次はＧデータ信号を交互に入力するという特徴を有する。【００６０】  Ｂデータ信号は従来の技術と同様に駆動するが、図８に示されたＤーフリップフロップ（３３）による駆動とデータ・ドライバ（２３）の出力端子とデータライン（ＤＬ）との接続関係によりＲ、Ｇデータ信号がそれぞれ４回入力される間、図９ａ及び図９ｂに示されているようにそれぞれ二回ずつＢデータ信号を入力する。即ち、Ｂデータ信号は、Ｒデータ信号がＧデータ信号より先に入力されるとＢデータ信号は３番目と４番目のデータ信号（Ｂ３、Ｂ４）として入力されて、Ｇデータ信号がＲデータ信号より先に入力されると１番目と２番目のデータ信号（Ｂ１、Ｂ２）として入力される。【００６１】  図１０ａ及び図１０ｂは図６ｂに図示されたピクセル構造と配線の液晶パネルを駆動するためのデータ・ドライバの接続状態とを概略的に表す図面である。【００６２】  図１０ａ及び図１０ｂを参照すると、液晶表示装置は図７ａ及び図７ｂに示された６バス方式の入力信号（Ｒｅ、Ｇｅ、Ｂｅ、Ｒｏ、Ｇｏ、Ｂｏ）を入力として受けてデータクロックに同期する方法とは異なり、６バス方式の入力信号（Ｒｅ、Ｇｅ、Ｂｅ、Ｒｏ、Ｇｏ、Ｂｏ）を入力として１からＮ番目のデータライン（ＤＬ１〜ＤＬＮ）に出力を供給する。【００６３】  本発明ではデータ・ドライバ（２３）に連結される出力端子で１２個で１組の出力端子の内の２番目と８番目の出力端子をデータライン（ＤＬ）と接続せずに使用する。【００６４】  以後のデータ・ドライバ（２３）からの５番目と１１番目の出力端子は正常にデータライン（ＤＬ）に連結されてＢデータを出力する。【００６５】  上のような連結方法はＮ番目の出力端子にまですべて適用される。【００６６】  図１１は、図１０に示されているようなピクセルにデータを発生させるためのデータ・パルス発生機を詳細に表す図面である。【００６７】  図１１を参照すると、データ・パルス発生機はタイミング・コントローラ（２２）を通してピクセルデータを選択的に出力するように制御されるマルチプレクサとタイミング・コントローラ（２２）からの制御信号が入力されて制御されるＤーフリップフロップ（３４、３５）によって構成される。【００６８】  マルチプレクサは奇数番目のデータの駆動の際にＲデータを出力し、偶数番目のデータの駆動の際にＧデータを出力第１マルチプレクサ（ＭＵＸ１）と；奇数番目のデータの駆動の際にＧデータを出力し、偶数番目のデータの駆動の際にＲデータを出力する第２マルチプレクサ（ＭＵＸ２）と；奇数番目のデータ及び偶数番目のデータの駆動の際にＢデータを選択的に出力する第３マルチプレクサ（ＭＵＸ３）と；第３マルチプレクサに接続されて第３マルチプレクサ（ＭＵＸ３）を制御するように制御信号を送り出す第４マルチプレクサ（ＭＵＸ４）とを具備する。【００６９】  Ｄーフリップフロップ（３４、３５）は、タイミング・コントローラ（２２）からのドットクロック（Ｄｃｌｋ）により制御されて第４マルチプレクサ（ＭＵＸ４）に制御信号を送り出す第１Ｄーフリップフロップ（３４）と、入力された水平同期信号（Hsync）を１回２分周された形態のパルスとして出力する第２Ｄーフリップフロップ（３５）とからなる。【００７０】  第１Ｄーフリップフロップ（３４）のクロック端子（ＣＬＫ）にはタイミング・コントローラ（２２）からのドットクロック（Ｄｃｌｋ）が入力されて、第１Ｄーフリップフロップ（３４）の出力端子（Ｑ、¬Ｑ）の反転出力端子（¬Ｑ）からの出力信号は入力端子（Ｄ）に入力され、一方、非反転出力端子（Ｑ）からの出力信号は、第４マルチプレクサ（ＭＵＸ４）に入力される。第２Ｄーフリップフロップ（３５）のクロック端子（ＣＬＫ）にはタイミング・コントローラ（２２）からの水平同期信号（Ｈｓｙｎｃ）が入力されて、第２Ｄーフリップフロップ（３５）の出力端子（Ｑ、¬Ｑ）の反転出力端子（¬Ｑ）からの出力信号は入力端子（Ｄ）に入力される。第２Ｄーフリップフロップ（３５）の出力端子（Ｑ、¬Ｑ）の非反転出力端子（Ｑ）からの出力信号は第４マルチプレクサ（ＭＵＸ４）、第１マルチプレクサ（ＭＵＸ１）及び第２マルチプレクサ（ＭＵＸ２）に入力される。【００７１】  タイミング・コントローラ（２２）からの水平同期信号（Ｈsync）が入力されると第２Ｄーフリップフロップ（３５）は、２分周された形態の制御パルスを非反転出力端子（Ｑ）から出力する。【００７��】  また、タイミング・コントローラ（２２）からドットクロック（Ｄｃｌｋ）が第１Ｄーフリップフロップ（３４）に入力されると２分周された形態の制御パルスが第４マルチプレクサ（ＭＵＸ４）に入力される。【００７３】  第１マルチプレクサ（ＭＵＸ１）はＲ及びＧデータの入力を受けて、前記第２Ｄーフリップフロップ（３５）により出力された制御信号により前記カラー信号を選択して出力する。第２マルチプレクサ（ＭＵＸ２）はＧ及びＲデータの入力を受けて、前記第２Ｄーフリップフロップ（３５）により出力された制御信号により前記カラー信号を選択して出力する。第３マルチプレクサ（ＭＵＸ３）はＢデータの入力を受けて、前記第２Ｄーフリップフロップ（３５）の制御による第４マルチプレクサ（ＭＵＸ４）の制御信号により前記Ｂデータ信号を選択的に出力する。【００７４】  図１２ａ及び図１２ｂは図１１に示された駆動装置を通して奇数番目のカラー・データと偶数番目のカラー・データのデータ・ドライバを通してのデータラインへの出力を表す図面である。【００７５】  図１２ａ及び図１２ｂを参照すると、本発明の第２実施例による液晶表示装置の駆動方法として図９ａ及び図９ｂで説明した方法と同様に一つのピクセル内に５個のカラー・ドットを有する液晶パネルを駆動するためのＲデータ・バス及びＧデータ・バスに、走査線毎にＲデータ信号を一度入力すると次はＧデータ信号を交互に入力するという特徴を有する。【００７６】  Ｂデータ信号は、図１１に示されたようにＤーフリップフロップ（３４、３５）による駆動と、データ・ドライバ（２３）の出力端子とデータライン（ＤＬ）との接続関係とによりＲ、Ｇデータ信号がそれぞれ４回入力される間、図１２ａ及び図１２ｂに示されているように二回ずつ入力される。即ち、Ｒデータ信号がＧデータ信号より先に入力されるとＢデータ信号は２番目と４番目のデータ信号（Ｂ２、Ｂ４）として出力されて、Ｇデータ信号がＲデータ信号よりも先に入力されると、１番目と３番目のデータ信号（Ｂ１、Ｂ３）として出力される。Ｂデータ信号は上記の信号発生パターンを繰り返す。Ｒデータ信号が先に入力されると偶数番目のＢデータ信号が発生されて、Ｇデータ信号が先に入力されると偶数番目のＢデータ信号が発生される。【００７７】  図６乃至図１２は、従来のデータ・ドライバの出力端子の一部を断線して出力端子の個数を従来とは異なるようにした新しい出力端子構造のデータ・ドライバとした従来のデータ・ドライバを使用し、一つのピクセル内に５個のカラー・ドットを具備した液晶パネルを駆動するためのＢデータの出力端子の中の一部をスイッチングして使用する場合である。【００７８】  このようなピクセル形態に構成された液晶パネルを駆動するために新しい形態のデータ・ドライバを製作して使用してもよい。【００７９】  具体的には、通常のデータ・ドライバは３ドットのカラー・ドットを出力するので３８４チャンネルのという３倍数の出力チャンネルを有するが、本発明の場合、６カラー・ドットを発生させる過程の中のカラー・ドット（Ｂカラー・ドット）の出力単位を短絡（ｓｈｏｒｔｅｄ）させるので、データ・ドライバから出力端子は３２０チャンネルという５倍数のチャ���ネルだけで足りる。これで５倍数のチャンネルを有するデータ・ドライバを駆動してピクセルを駆動することができる。【００８０】  図１３ａ及び図１３ｂは図６に図示された液晶パネルの駆動方法により液晶パネルのピクセルに供給されたデータ信号などの極性のパターンを図示した図面である。【００８１】  図１３ａ及び図１３ｂを参照すると、正四角形の内の菱形が内接された形態でピクセルがマトリックス形態に配列されている。【００８２】  図１３ａに示されている１番目のピクセルでは中央の菱形形態のＢデータに隣接して左上段と右上段の極性は正極性（＋）であり、左下段と右下段の極性は負極性（ー）を帯びる。この時、中央のＢデータの極性は正極性（＋）を帯びる。【００８３】  ２番目のピクセルでは中央の菱形形態のＢデータに隣接して左上段と右上段の極性は負極性（ー）であり、左下段と右下段の極性は正極性（＋）を帯びる。この時、中央のＢデータの極性は負極性（ー）を帯びる。【００８４】  ３番目のピクセルでは中央の菱形形態のＢデータに隣接して左上段と右上段の極性は正極性（＋）であり、左下段と右下段の極性は負極性（ー）を帯びる。この時、中央のＢデータの極性は正極性（＋）を帯びる。【００８５】  ４番目のピクセルでは中央の菱形形態のＢデータに隣接して左上段と右上段の極性は負極性（ー）であり、左下段と右下段の極性は正極性（＋）を帯びる。この時、中央のＢデータの極性は負極性（ー）を帯びる。【００８６】  図１３ｂでの１番目のピクセルでは中央の菱形形態のＢデータに隣接して左上段と右上段の極性は負極性（ー）であり、左下段と右下段の極性は正極性（＋）を帯びる。この時、中央のＢデータの極性は負極性（ー）を帯びる。【００８７】  ２番目のピクセルでは中央の菱形形態のＢデータに隣接して左上段と右上段の極性は正極性（＋）であり、左下段と右下段の極性は負極性（ー）を帯びる。この時、中央のＢデータの極性は正極性（＋）を帯びる。【００８８】  ３番目のピクセルでは中央の菱形形態のＢデータに隣接して左上段と右上段の極性は負極性（ー）であり、左下段と右下段の極性は正極性（＋）を帯びる。この時、中央のＢデータの極性は負極性（ー）を帯びる。【００８９】  ４番目のピクセルでは中央の菱形形態のＢデータに隣接して左上段と右上段の極性は正極性（＋）であり、左下段と右下段の極性は負極性（ー）を帯びる。この時、中央のＢデータの極性は正極性（＋）を帯びる。【００９０】  上記の方法により本発明に従った液晶パネルのピクセルに供給されたデータ信号の極性パターンは、図１３ａ及び図１３ｂを交互に繰り返して全パネルにかけてドット別に電圧充電極性を有する。【００９１】  以上説明した内容を通して当業者であれば本発明の技術思想を逸脱しない範囲で多様な変更及び修正の可能であることが分かる。従って、本発明の技術的な範囲は明細書の詳細な説明に記載された内容に限らず特許請求の範囲によって定めなければならない。
【図面の簡単な説明】
【００９２】
【図１】図１は一般的な液晶表示装置をブロック構成図に表した図面である。
【図２】図２は図１の液晶表示装置のピクセルとＴＦＴ構造の関係を詳細に表した図面である。
【図３】図３は図１に図示された液晶表示装置の従来の技術によるＲＧＢカラーフィルターの配列状態とゲート・ドライバ及びデータ・ドライバの接続状態を表す図面である。
【図４ａ】図４ａは従来の技術によるドット反転方式を表す図面である。
【図４ｂ】図４ｂは従来の技術によるドット反転方式を表す図面である。
【図５】図５は本発明での液晶表示装置をブロック構成図に表す図面である。
【図６ａ】図６ａは本発明の第１及び第２実施例による液晶パネルのピクセル構造とピクセルへのデータの入力を説明する図面である。
【図６ｂ】図６ｂは本発明の第１及び第２実施例による液晶パネルのピクセル構造とピクセルへのデータの入力を説明する図面である。
【図７ａ】図７ａは図６ａに図示されたピクセル構造及び配線の液晶パネルを駆動するためのデータ・ドライバの接続状態を表す図面である。
【図７ｂ】図７ｂは図６ａに図示されたピクセル構造及び配線の液晶パネルを駆動するためのデータ・ドライバの接続状態を表す図面である。
【図８】図８は図７ａ及び図７ｂでのようなピクセルにデータを出力するためのデータ・パルス発生機を詳細に表す図面である。
【図９ａ】図９ａは図８での駆動装置を通して奇数及び偶数のカラー・データのデータラインへの出力を説明する図面である。
【図９ｂ】図９ｂは図８での駆動装置を通して奇数及び偶数のカラー・データのデータラインへの出力を説明する図面である。
【図１０ａ】図１０ａは図６ｂに図示されたピクセル構造及び配線の液晶パネルを駆動するためのデータ・ドライバの接続状態を概略的に表す図面である。
【図１０ｂ】図１０ｂは図６ｂに図示されたピクセル構造及び配線の液晶パネルを駆動するためのデータ・ドライバの接続状態を概略的に表す図面である。
【図１１】図１１は図１０ａ及び図１０ｂに示されているようなピクセルにデータを出力するためのデータ・パルス発生機を詳細に表す図面である。
【図１２ａ】図１２ａは図１１での駆動装置を通して奇数及び偶数のカラー・データのデータ・ドライバを通してのデータラインへの出力を表す図面である。
【図１２ｂ】図１２ｂは図１１での駆動装置を通して奇数及び偶数のカラー・データのデータ・ドライバを通してのデータラインへの出力を表す図面である。
【図１３ａ】図１３ａは図６ａ及び図６ｂに図示された液晶パネルの駆動方法により液晶パネルのピクセルに供給されたデータ信号の極性パターンを図示した図面である。
【図１３ｂ】図１３ｂは図６ａ及び図６ｂに図示された液晶パネルの駆動方法により液晶パネルのピクセルに供給されたデータ信号の極性パターンを図示した図面である。
【符号の説明】
【００９３】１、２１：デジタル・ビデオ・カード２、２２：タイミング・コントローラ３、２３：データ・ドライバ５、２５：ゲート・ドライバ６、２６：液晶パネル１２ａ、１２ｂ、１２ｃ：ピクセル電極１４：ＴＦＴ１６：ピクセル２７：ピクセル２８：Ｒカラーフィルターを有するドット２９：Ｇカラーフィルターを有するドット３０：Ｂカラーフィルターを有するドット３１、３２、３３、３４、３５：Ｄーフリップフロップ
【図１】
0004777304.tif 000002
【図２】
0004777304.tif 000003
【図３】
0004777304.tif 000004
【図４ａ】
0004777304.tif 000005
【図４ｂ】
0004777304.tif 000006
【図５】
0004777304.tif 000007
【図６ａ】
0004777304.tif 000008
【図６ｂ】
0004777304.tif 000009
【図７ａ】
0004777304.tif 000010
【図７ｂ】
0004777304.tif 000011
【図８】
0004777304.tif 000012
【図９ａ】
0004777304.tif 000013
【図９ｂ】
0004777304.tif 000014
【図１０ａ】
0004777304.tif 000015
【図１０ｂ】
0004777304.tif 000016
【図１１】
0004777304.tif 000017
【図１２ａ】
0004777304.tif 000018
【図１２ｂ】
0004777304.tif 000019
【図１３ａ】
0004777304.tif 000020
【図１３ｂ】
0004777304.tif 000021